(57)【要約】【課題】事前に入手したチケットを有効活用する。【解決手段】コンテンツ提供装置１は、ユーザ端末２がイベントのチケットＴから読み取ったチケット情報を前記ユーザ端末から受信するチケット情報受信部と、前記イベントに対応する複数のコンテンツデータを格納する記憶部と、前記チケット情報の受信日が前記イベントの開催日の場合に、前記ユーザ端末から位置情報を取得する位置情報取得部と、前記チケット情報の受信日時及び前記位置情報に基づいてコンテンツデータを選択する選択部と、前記選択部が選択したコンテンツデータを前記ユーザ端末へ送信する送信部と、を備える。【選択図】図１
2019159480.tif 000002
【特許請求の範囲】
【請求項１】
ユーザ端末がイベントのチケットから読み取ったチケット情報を前記ユーザ端末から受信するチケット情報受信部と、
前記イベントに対応する複数のコンテンツデータを格納する記憶部と、
前記チケット情報の受信日が前記イベントの開催日の場合に、前記ユーザ端末から位置情報を取得する位置情報取得部と、
前記チケット情報の受信日時及び前記位置情報に基づいてコンテンツデータを選択する選択部と、
前記選択部が選択したコンテンツデータを前記ユーザ端末へ送信する送信部と、
を備えるコンテンツ提供装置。
【請求項２】
前記記憶部は、コンテンツデータとして、イベント開催日の前日以前に配信する事前コンテンツ、イベント終了後に配信する事後コンテンツ、イベント会場の場所を説明する地図データ、及びイベント会場の座席表データを格納することを特徴とする請求項１に記載のコンテンツ提供装置。
【請求項３】
前記選択部は、前記位置情報がイベント会場の場所を示す場合、前記座席表データを選択し、前記位置情報がイベント会場以外の場所を示す場合、前記地図データを選択することを特徴とする請求項２に記載のコンテンツ提供装置。
【請求項４】
前記選択部が前記座席表データを選択した場合に、前記チケット情報に含まれる座席番号を用いて前記座席表データを編集する編集部をさらに備え、
前記送信部は、編集後の座席表データを前記ユーザ端末へ送信することを特徴とする請求項２又は３に記載のコンテンツ提供装置。
【請求項５】
前記編集部は、前記座席表データの編集処理として、前記座席番号に対応する座席を指し示す矢印を付与する、又は前記座席番号に対応する座席の色を変えることを特徴とする請求項４に記載のコンテンツ提供装置。
【請求項６】
前記記憶部は、言語の異なる複数のコンテンツデータを格納し、
前記チケット情報は、前記チケットの言語情報を含み、
前記選択部は、前記チケット情報に含まれる言語情報に対応したコンテンツデータを選択することを特徴とする請求項１乃至５のいずれか１項に記載のコンテンツ提供装置。
【請求項７】
イベントのチケットに印字された二次元コードを読み取り、前記イベントの名称、開催日時、及び座席番号を含むチケット情報を取得するステップと、
前記チケット情報をコンテンツ提供装置へ送信するステップと、
前記コンテンツ提供装置からの要求に応じてＧＰＳによる位置情報を取得し、前記位置情報を前記コンテンツ提供装置へ送信するステップと、
前記コンテンツ提供装置から、前記チケット情報の送信日時及び前記位置情報に応じたコンテンツデータを受信するステップと、
前記コンテンツデータを再生するステップと、
を携帯端末のコンピュータに実行させることを特徴とするプログラム。
【発明の詳細な説明】
【技術分野】
【０００１】
本発明は、コンテンツ提供装置及びプログラムに関する。
【背景技術】
【０００２】
映画、ライブ、スポーツ大会等のイベントでは、イベント当日に、イベント会場までのルートをインターネットで検索して調べることが多いが、イベント会場の住所や会場名の入力に手間がかかっていた。また、座席指定の大きなイベント会場では、自分の座席を探すのに時間がかかっていた。
【０００３】
このようなイベントでは、チケットを事前に購入しておき、手元に置いておくことが多い。従来、購入したチケットは、イベント当日まで保管されているだけであり、有効活用されていなかった。
【先行技術文献】
【特許文献】
【０００４】
【特許文献１】特開平１０−２７２８７６号公報
【発明の概要】
【発明が解決しようとする課題】
【０００５】
本発明は、上記従来の実状に鑑みてなされたものであり、事前に入手したチケットを有効活用することができるコンテンツ提供装置及びプログラムを提供することを課題とする。
【課題を解決するための手段】
【０００６】
本発明によるコンテンツ提供装置は、ユーザ端末がイベントのチケットから読み取ったチケット情報を前記ユーザ端末から受信するチケット情報受信部と、前記イベントに対応する複数のコンテンツデータを格納する記憶部と、前記チケット情報の受信日が前記イベントの開催日の場合に、前記ユーザ端末から位置情報を取得する位置情報取得部と、前記チケット情報の受信日時及び前記位置情報に基づいてコンテンツデータを選択する選択部と、前記選択部が選択したコンテンツデータを前記ユーザ端末へ送信する送信部と、を備えるものである。
【０００７】
本発明の一態様によるコンテンツ提供装置において、前記記憶部は、コンテンツデータとして、イベント開催日の前日以前に配信する事前コンテンツ、イベント終了後に配信する事後コンテンツ、イベント会場の場所を説明する地図データ、及びイベント会場の座席表データを格納する。
【０００８】
本発明の一態様によるコンテンツ提供装置において、前記選択部は、前記位置情報がイベント会場の場所を示す場合、前記座席表データを選択し、前記位置情報がイベント会場以外の場所を示す場合、前記地図データを選択する。
【０００９】
本発明の一態様によるコンテンツ提供装置において、前記選択部が前記座席表データを選択した場合に、前記チケット情報に含まれる座席番号を用いて前記座席表データを編集する編集部をさらに備え、前記送信部は、編集後の座席表データを前記ユーザ端末へ送信する。
【００１０】
本発明の一態様によるコンテンツ提供装置において、前記編集部は、前記座席表データの編集処理として、前記座席番号に対応する座席を指し示す矢印を付与する、又は前記座席番号に対応する座席の色を変える。
【００１１】
本発明の一態様によるコンテンツ提供装置において、前記記憶部は、言語の異なる複数のコンテンツデータを格納し、前記チケット情報は、前記チケットの言語情報を含み、前記選択部は、前記チケット情報に含まれる言語情報に対応したコンテンツデータを選択する。
【００１２】
本発明によるプログラムは、イベントのチケットに印字された二次元コードを読み取り、前記イベントの名称、開催日時、及び座席番号を含むチケット情報を取得するステップと、前記チケット情報をコンテンツ提供装置へ送信するステップと、前記コンテンツ提供装置からの要求に応じてＧＰＳによる位置情報を取得し、前記位置情報を前記コンテンツ提供装置へ送信するステップと、前記コンテンツ提供装置から、前記チケット情報の送信日時及び前記位置情報に応じたコンテンツデータを受信するステップと、前記コンテンツデータを再生するステップと、を携帯端末のコンピュータに実行させるものである。
【発明の効果】
【００１３】
本発明によれば、事前に入手したチケットを有効活用することができる。
【図面の簡単な説明】
【００１４】
【図１】本発明の実施形態に係るコンテンツ提供システムの概略構成図である。
【図２】コンテンツ表示画面の例を示す図である。
【図３】（ａ）〜（ｃ）はコンテンツ表示画面の例を示す図である。
【図４】（ａ）（ｂ）はコンテンツ表示画面の例を示す図である。
【図５】ユーザ端末のブロック構成図である。
【図６】コンテンツ再生プログラムを実行することで実現される機能ブロック図である。
【図７】コンテンツ提供装置のブロック構成図である。
【図８】コンテンツ提供方法を説明するフローチャートである。
【発明を実施するための形態】
【００１５】
以下、本発明の実施の形態を図面に基づいて説明する。
【００１６】
図１は実施の形態に係るコンテンツ提供システムの概略構成図である。コンテンツ提供システムは、コンサートやスポーツ大会等のイベントのチケットＴを購入したユーザが所有するユーザ端末２に対しコンテンツを提供するコンテンツ提供装置１と、イベント主催者等がコンテンツ提供装置１に配信用のコンテンツを登録する登録端末３とを備える。
【００１７】
コンテンツ提供装置１は、ユーザ端末２に提供するコンテンツを保存する。ユーザ端末２に提供するコンテンツは、例えば、画像（静止画）データ、音声データ、動画データ等である。コンテンツは、イベント毎に複数準備されている。
【００１８】
コンテンツ提供装置１は、日時によって、ユーザ端末２に提供するコンテンツを変更する。例えば、イベント開催日よりも前か、イベント開催日当日か、又はイベント開催日よりも後かによって、提供コンテンツを変更する。また、ユーザ端末２から位置情報を取得し、ユーザ端末２の位置に応じて、提供するコンテンツを変更する。
【００１９】
ユーザが購入したチケットＴには、イベントの名称、開催日時、座席番号等の情報が記載されている。また、チケットＴには、イベント名称、開催日時、座席番号等のチケット情報をコード化した二次元コードＱがプリントされている。
【００２０】
ユーザは、コンテンツを取得・再生するためのプログラム（コンテンツ再生アプリ）が記憶された、スマートフォンやタブレット機器等のユーザ端末２を有している。ユーザ端末２がこのプログラムを実行すると、二次元コードを読み取るためにユーザ端末２のカメラ機能が起動する。ユーザがユーザ端末２のカメラでチケットＴの二次元コードＱを撮影すると、ユーザ端末２は二次元コードＱを読み取ってチケット情報を取得し、コンテンツ提供装置１に送信する。
【００２１】
コンテンツ提供装置１は、ユーザ端末２からチケット情報を受信する。コンテンツ提供装置１は、ユーザ端末２からのアクセス日時に応じたコンテンツを選択し、ユーザ端末２へ送信する。ユーザ端末２は、コンテンツ提供装置１から受信したコンテンツを再生する。
【００２２】
例えば、アクセス日時がイベント開催日よりも前の場合、コンテンツ提供装置１は、イベントの予告動画データを送信する。図２に示すように、ユーザ端末２は、予告動画を再生する。
【００２３】
アクセス日時がイベント開催日当日であり、かつ開催時間よりも前の場合、コンテンツ提供装置１は、ユーザ端末２に対し、位置情報を要求する。ユーザ端末２は、ＧＰＳ機能を用いて現在の位置情報を取得し、コンテンツ提供装置１に通知する。
【００２４】
位置情報がイベント会場又はその周辺を示していない場合、コンテンツ提供装置１は、最寄り駅から会場までの地図（ルートマップ）データを送信する。図３（ａ）に示すように、ユーザ端末２は、ルートマップを表示する。
【００２５】
位置情報がイベント会場又はその周辺を示している場合、コンテンツ提供装置１は、ユーザ端末２からのアクセス時に受信したチケット情報に含まれる座席番号を用いて、イベント会場の座席表データを編集する。コンテンツ提供装置１は、座席位置に矢印マークを付与するなどして座席位置を明示した編集後の座席表データを送信する。図３（ｂ）に示すように、ユーザ端末２は、ユーザの座席位置を明示する座席表を表示する。
【００２６】
アクセス日時がイベント開催中の場合、コンテンツ提供装置１は、イベントの中継動画データを送信する。図３（ｃ）に示すように、ユーザ端末２は、中継動画を再生する。
【００２７】
アクセス日時がイベント終了後の場合、コンテンツ提供装置１は、イベント出演者からのメッセージを含む動画データや、次回イベントの告知動画データを送信する。図４（ａ）（ｂ）に示すように、ユーザ端末２は、メッセージ動画や告知動画を再生する。
【００２８】
イベント開催日の前日以前に、ユーザ端末２でチケットＴの二次元コードＱを読み取ると、予告動画が再生される。ユーザは、イベントに関連した動画を楽しむことができる。
【００２９】
イベント開催日、例えば自宅やイベント会場へ向かっている時に、ユーザ端末２でチケットＴの二次元コードＱを読み取ると、イベント会場までのルートマップが表示される。ユーザは、地図アプリなどを別途開くことなく、会場までの道順を確認できる。イベント会場に到着し、ユーザ端末２で二次元コードＱを読み取ると、自分の座席位置を示す座席表が表示される。ユーザは、自分の座席を容易に見つけることが可能となる。
【００３０】
イベント中にユーザ端末２でチケットＴの二次元コードＱを読み取ると、イベントの中継動画が再生される。ユーザは、自分の座席からは見えない角度からのステージの様子などを視聴できる。
【００３１】
イベント終了後にユーザ端末２でチケットＴの二次元コードＱを読み取ると、イベント出演者からのメッセージ動画や、次回イベントの告知動画が再生される。ユーザは、参加したイベントの記念になる動画を楽しんだり、次回イベントの内容を知ることができたりする。
【００３２】
このように、本実施形態によれば、事前に入手したチケットを、イベントの開催前から開催後にわたって、有効活用することができる。
【００３３】
次に、ユーザ端末２について説明する。図５はユーザ端末２のブロック構成図である。ユーザ端末２は、ＣＰＵ（Central  Processing  Unit）２０、メモリ２１、カメラ２２、通信部２３、ＧＰＳ２４、ディスプレイ（タッチパネル）２５等を備える。
【００３４】
メモリ２１は、コンテンツ再生アプリ（アプリケーションプログラム）を記憶する。メモリ２１は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリの少なくとも１つのタイプの記憶媒体を含む。
【００３５】
ＣＰＵ２０がコンテンツ再生アプリを実行することで、図６に示すように、チケット情報取得部２０１、チケット情報送信部２０２、位置情報送信部２０３、コンテンツ受信部２０４、及びコンテンツ再生部２０５の機能が実現される。
【００３６】
チケット情報取得部２０１は、カメラ２２を用いてチケットＴの二次元コードＱを読み取り、イベント名称、開催日時、座席番号等を含むチケット情報を取得する。
【００３７】
チケット情報送信部２０２は、取得したチケット情報を、通信部２３を用いてコンテンツ提供装置１へ送信する。
【００３８】
位置情報送信部２０３は、コンテンツ提供装置１からの要求に応じて、ＧＰＳ２４により取得したユーザ端末２の位置情報を、コンテンツ提供装置１へ送信する。
【００３９】
コンテンツ受信部２０４は、コンテンツ提供装置１からコンテンツデータを受信する。
【００４０】
コンテンツ再生部２０５は、コンテンツ受信部２０４が受信したコンテンツデータの再生を行う。例えば、ディスプレイ２５を用いて動画データを再生する。
【００４１】
次に、コンテンツ提供装置１について説明する。図７に示すように、コンテンツ提供装置１は、ＲＯＭ、ＲＡＭ、不揮発性メモリ又はハードディスク装置等を含む記憶部１０を有したコンピュータであり、記憶部１０にはコンテンツ提供プログラム及びコンテンツデータが格納されている。コンテンツデータは、イベント主催者等が登録端末３を用いて登録した動画や画像であり、イベント毎に、前日以前に配信する事前コンテンツ、イベント会場の場所を説明する地図データ、イベント会場の座席表データ、イベント終了後に配信する事後コンテンツ等が準備されている。
【００４２】
コンテンツ提供装置１のＣＰＵがコンテンツ提供プログラムを実行することで、図７に示すように、チケット情報受信部１１、位置情報取得部１２、コンテンツ選択部１３、コンテンツ編集部１４及びコンテンツ送信部１５の機能が実現される。
【００４３】
チケット情報受信部１１は、ユーザ端末２からチケット情報を受信する。
【００４４】
位置情報取得部１２は、ユーザ端末２からのアクセス日時（チケット情報受信日時）が、イベント当日かつイベント開催前の場合、ユーザ端末２に対して位置情報を要求し、取得する。
【００４５】
コンテンツ選択部１３は、受信したチケット情報に含まれるイベント名称からイベントを特定し、ユーザ端末２からのアクセス日時に基づいて、提供するコンテンツを選択する。アクセス日時が前日以前の場合、コンテンツ選択部１３は事前コンテンツを選択する。アクセス日時がイベント終了後の場合、コンテンツ選択部１３は事後コンテンツを選択する。
【００４６】
アクセス日時がイベント当日かつイベント開催前の場合、コンテンツ選択部１３は、さらにユーザ端末２の位置情報を考慮してコンテンツを選択する。例えば、位置情報がイベント会場又はその近傍を示している場合、イベント会場の座席表データを選択する。位置情報が示す場所がイベント会場近辺でない場合、コンテンツ選択部１３は、会場までの地図（ルートマップ）データを選択する。
【００４７】
アクセス日時がイベント開催中の場合、コンテンツ選択部１３は、イベントの中継動画を提供コンテンツとして選択する。
【００４８】
コンテンツ編集部１４は、コンテンツ選択部１３が座席表データを選択した場合、チケット情報受信部１１が受信したチケット情報に含まれる座席番号を用いて、ユーザの座席位置に矢印を付与する、又は座席の色を変えるなどして座席表データを編集する。
【００４９】
コンテンツ送信部１５は、コンテンツ選択部１３が選択したコンテンツをユーザ端末２へ送信する。コンテンツ選択部１３が座席表データを選択した場合は、コンテンツ編集部１４による編集後の座席表データを送信する。
【００５０】
次に、このようなコンテンツ提供システムを用いたコンテンツ提供方法を図８に示すフローチャートを用いて説明する。
【００５１】
チケットＴを購入したユーザは、ユーザ端末２のコンテンツ再生アプリを立ち上げ、知チケットＴの二次元コードＱをカメラ２２で読み取る。ユーザ端末２は、イベント名称、開催日時、座席番号等のチケット情報を取得する（ステップＳ１）。ユーザ端末２は、チケット情報をコンテンツ提供装置１へ送信する（ステップＳ２）。コンテンツ再生アプリの立ち上げに伴い、コンテンツ提供装置１との通信が確立している。
【００５２】
コンテンツ提供装置１は、チケット情報に含まれる開催日時と、ユーザ端末２からのアクセス日（チケット情報受信日）とを比較し、アクセス日がイベント開催日よりも前か、後か、当日かを判定する（ステップＳ３）。
【００５３】
アクセス日がイベント開催日よりも前の場合、コンテンツ提供装置１は、事前コンテンツ（例えばイベントの予告動画データ）を選択する（ステップＳ４）。
【００５４】
アクセス日がイベント当日の場合、コンテンツ提供装置１は、ユーザ端末２からのアクセス時刻が、イベント開始前か、イベント開催中か、イベント終了後かを判定する（ステップＳ５）。
【００５５】
アクセス時刻がイベント開始前の場合、コンテンツ提供装置１は、ユーザ端末２から位置情報を取得する（ステップＳ６）。ユーザ端末２がイベント会場（会場近辺）にある場合（ステップＳ７＿Ｙｅｓ）、コンテンツ提供装置１は、座席表データを選択する（ステップＳ８）。コンテンツ提供装置１は、受信したチケット情報に含まれる座席番号を用いて座席表データを編集し、この座席が明示されるようにする（ステップＳ９）。
【００５６】
ユーザ端末２がイベント会場（会場近辺）にない場合（ステップＳ７＿Ｎｏ）、コンテンツ提供装置１は、イベント会場までのルートマップ（地図データ）を選択する（ステップＳ１０）。
【００５７】
ユーザ端末２からのアクセス時刻がイベント開催中の場合、コンテンツ提供装置１は、イベントの中継動画を選択する（ステップＳ１１）。
【００５８】
アクセス日がイベント開催日よりも後の場合、又はイベント当日かつアクセス時刻がイベント終了後である場合、コンテンツ提供装置１は、事後コンテンツ（例えばイベント出演者からのメッセージ動画、次回イベントの告知動画）を選択する（ステップＳ１２）。
【００５９】
コンテンツ提供装置１が選択したコンテンツをユーザ端末２へ送信する（ステップＳ１３）。ユーザ端末２は、受信したコンテンツを再生する（ステップＳ１４）。
【００６０】
このように、本実施形態によれば、事前に入手したチケットを活用し、日時や場所によって異なるコンテンツを再生することができる。
【００６１】
上記実施形態において、動画コンテンツの再生に公知のＡＲ技術を用いてもよい。例えば、ユーザ端末２のカメラ２２でチケットＴを撮影すると、ユーザ端末２は、撮影されたチケット画像と、コンテンツ提供装置１から取得した画像との特徴点を比較して照合する。照合により２つの画像が一致した場合、ユーザ端末２はコンテンツ提供装置１から動画データを取得し、ユーザ端末２のカメラ２２で撮影しているチケットＴに動画を重畳して再生する。
【００６２】
言語の異なるチケットＴが発行されている場合、提供するコンテンツも言語別に準備しておくことが好ましい。二次元コードＱには、チケット情報として言語情報も含める。コンテンツ提供装置１は、ユーザ端末２から受信したチケット情報に含まれる言語情報を確認し、対応する言語のコンテンツを提供する。
【００６３】
上記実施形態では、二次元コードＱを読み取ってチケット情報を取得する例について説明したが、ユーザ端末２のカメラ２２でチケットＴを撮影し、チケット画像をコンテンツ提供装置１に送信してもよい。コンテンツ提供装置１は、受信したチケット画像を解析し、イベント名称、開催日時、座席番号等の情報を取得する。
【００６４】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６５】
１  コンテンツ提供装置
２  ユーザ端末
【図１】
2019159480.tif 000003
【図２】
2019159480.tif 000004
【図３】
2019159480.tif 000005
【図４】
2019159480.tif 000006
【図５】
2019159480.tif 000007
【図６】
2019159480.tif 000008
【図７】
2019159480.tif 000009
【図８】
2019159480.tif 000010